(57)【要約】【課題】捻じれることなくストラップを取り付け可能な電子機器を提供する。【解決手段】電子機器の外装部に配置され、ストラップを第１の方向に回転させることで係合部が電子機器と係合する状態となり、ストラップを第１の方向とは反対方向となる第２の方向に回転させることで係合部と電子機器との係合が解除される第１のストラップマウントと、電子機器の外装部に配置され、ストラップを第２の方向に回転させることで係合部が電子機器と係合する状態となり、ストラップを第１の方向に回転させることで係合部と電子機器との係合が解除される第２のストラップマウントとを有し、係合部の一方を係合させる位置に第１のストラップマウントを配置するとともに、係合部の他方を係合させる位置に第２のストラップマウントを配置する。【選択図】図７
2011191644.tif 000002
【特許請求の範囲】
【請求項１】
ストラップを着脱可能な電子機器であって、
両端にそれぞれ係合部が形成されるストラップと、
前記電子機器の外装部に配置され、前記ストラップを第１の方向に回転させることで前記係合部が前記電子機器と係合する状態となり、前記ストラップを前記第１の方向とは反対方向となる第２の方向に回転させることで前記係合部と前記電子機器との係合が解除される第１のストラップマウントと、
前記電子機器の外装部に配置され、前記ストラップを前記第２の方向に回転させることで前記係合部が前記電子機器と係合する状態となり、前記ストラップを前記第１の方向に回転させることで前記係合部と前記電子機器との係合が解除される第２のストラップマウントとを有し、
前記係合部の一方を係合させる位置に前記第１のストラップマウントを配置するとともに、前記係合部の他方を係合させる位置に前記第２のストラップマウントを配置することを特徴とする電子機器。
【請求項２】
前記電子機器には、少なくとも前記第１のストラップマウントが複数配置され、第１のストラップマウント同士が隣り合わないように配置することを特徴とする請求項１に記載の電子機器。
【請求項３】
前記第１および第２のストラップマウントはそれぞれ前記電子機器の対角線上に配置されることを特徴とする請求項２に記載の電子機器。
【発明の詳細な説明】
【技術分野】
【０００１】
本発明は、電子機器に関し、特に、ストラップを着脱可能な電子機器に関する。
【背景技術】
【０００２】
従来から、筐体の外装面の複数箇所にストラップを取り付けるためのストラップ取付構造を備えた電子機器が知られている。特許文献１には、光学機器の外装面の二箇所に円形の凹部が形成され、その凹部内にストラップを取付けるための金具が必要角度のみ回転可能に構成されたストッパーが開示されている。特許文献１のストラップ取付装置によれば、ストラップが捻れず、光学機器を安定して保持することができる。
【先行技術文献】
【特許文献】
【０００３】
【特許文献１】特開平０５−０１１３３７号公報
【発明の概要】
【発明が解決しようとする課題】
【０００４】
しかしながら、特許文献１に開示された構成では、ストラップを光学機器（電子機器）に設けられた金具に取り付ける際に、ストラップが捻じれた状態で取り付けられてしまう場合がある。ストラップが捻じれた状態で取り付けられると、ストラップにより保持しにくくなるという問題がある。
【０００５】
また、ストラップが捻じれると、ストラップが電子機器から外れてしまうおそれがある。さらに、ストラップ取付け時の捻れを直そうとする場合には、ストラップの両端が取付けられているため、ストラップを取り付け直さなければならない。
【０００６】
そこで本発明は、捻じれることなくストラップを取り付け可能な電子機器を提供する。
【課題を解決するための手段】
【０００７】
本発明は、ストラップを着脱可能な電子機器であって、両端にそれぞれ係合部が形成されるストラップと、前記電子機器の外装部に配置され、前記ストラップを第１の方向に回転させることで前記係合部が前記電子機器と係合する状態となり、前記ストラップを前記第１の方向とは反対方向となる第２の方向に回転させることで前記係合部と前記電子機器との係合が解除される第１のストラップマウントと、前記電子機器の外装部に配置され、前記ストラップを前記第２の方向に回転させることで前記係合部が前記電子機器と係合する状態となり、前記ストラップを前記第１の方向に回転させることで前記係合部と前記電子機器との係合が解除される第２のストラップマウントとを有し、前記係合部の一方を係合させる位置に前記第１のストラップマウントを配置するとともに、前記係合部の他方を係合させる位置に前記第２のストラップマウントを配置することを特徴とする。
【発明の効果】
【０００８】
本発明によれば、捻じれることなくストラップを取り付け可能な電子機器を提供することができる。
【図面の簡単な説明】
【０００９】
【図１】本本発明を実施した電子機器の一例としてのデジタルカメラを示す図である。
【図２】デジタルカメラ本体１に対して着脱可能なストラップ３０を説明する図である。
【図３】デジタルカメラ本体１の外装部に設けられる第１のストラップマウント２ａにストラップ３０の先端に設けられる係合部３を係合させる様子を説明する図である。
【図４】デジタルカメラ本体１の外装部に設けられる第１のストラップマウント２ａにストラップ３０の先端に設けられる係合部３を係合させる様子を説明する断面図である。
【図５】第１のストラップマウント２ａの構造を説明する図である。
【図６】第２のストラップマウント２ｂの構造を説明する図である。
【図７】ストラップ３０をデジタルカメラ本体１に取り付ける取り付け動作を説明する図である。
【発明を実施するための形態】
【００１０】
以下、本発明の実施例について、図面を参照しながら詳細に説明する。各図において、同一の部材については同一の参照番号を付し、重複する説明は省略する。
【００１１】
図１は本発明を実施した電子機器の一例としてのデジタルカメラを示す図である。デジタルカメラ本体１の外装部の四隅にはストラップ取付部材であるストラップマウントが配置されている。本実施例のストラップマウントには、第１のストラップマウント２ａおよび第２のストラップマウント２ｂの２種類がある。第１のストラップマウント２ａは、ストラップ３０を時計方向に回転させることで、ストラップの係合部３と第１のストラップマウント２ａとが係合する状態になる。第２のストラップマウントは、ストラップ３０を反時計方向に回転させることで、ストラップの係合部３と第２のストラップマウント２ｂとが係合する状態になる。なお、本実施例では、時計方向を第１の方向とし、反時計方向を第１の方向とは反対方向となる第２の方向とする。
【００１２】
図１（ａ）はデジタルカメラ本体１をグリップ１ａの側から見た図であり、図１（ｂ）はデジタルカメラ本体１をレンズ鏡筒１ｂの側から見た図である。図１（ａ）に示すように、デジタルカメラ本体１のグリップ１ａの側には、上側に第１のストラップマウント２ａが配置され、下側に第２のストラップマウント２ｂが配置される。図１（ｂ）に示すように、デジタルカメラ本体１のレンズ鏡筒１ｂの側には、上側に第２のストラップマウント２ｂが配置され、下側に第１のストラップマウント２ａが配置される。すなわち、係合部３の一方を係合させる位置に第１のストラップマウント２ａを配置するとともに、係合部３の他方を係合させる位置に第２のストラップマウント２ｂを配置している。
【００１３】
図２は、デジタルカメラ本体１に対して着脱可能なストラップ３０を説明する図である。図２（ａ）はストラップ３０の外観を説明する図である。図２（ｂ）はストラップ３０の係合部を拡大した図である。ストラップ３０の先端には、係合部３が設けられている。係合部３はホルダー４１に固定されている。係合部３とホルダー４１との間には、キャップ４２とバネ４３が配置される。図２（ｂ）に示す状態では、キャップ４２はバネ４３によって係合部３に向けて付勢される。
【００１４】
図３はデジタルカメラ本体１の外装部に設けられる第１のストラップマウント２ａにストラップ３０の両端に設けられる係合部３を係合させる様子を説明する図である。説明をわかりやすくするために、図３では、ホルダー４１およびキャップ４２は省略している。第１のストラップマウント２ａに形成される取付孔２１は、係合部３の外形に合わせて貫通される孔である。取付孔２１に対して、係合部３を矢印Ａ方向に挿入して、係合部３を矢印Ｂ方向に回転させることで、第１のストラップマウント２ａと係合部３とは係合する状態となる。
【００１５】
図４（ａ）は、ストラップ３０の先端部の断面図である。図４（ａ）に示されるように、係合部３は、ホルダー４１に固定されている。ホルダー４１には、ホルダー４１とキャップ４２とが互いに離れる方向に付勢するバネ４３が内蔵されている。バネ４３の付勢力により、キャップ４２は係合部３に押圧される。バネ４３の付勢力に反する外力がキャップ４２に加えられていない場合、ホルダー４１とキャップ４２との間は距離ａだけ離れている。
【００１６】
図４（ｂ）は、係合部３を取付孔２１に挿入し、キャップ４２がデジタルカメラ本体１および第１のストラップマウント２ａに接触させた状態を示す断面図である。また、図４（ｃ）は、係合部３を取付孔２１に挿入し、ホルダー４１をバネ４３の付勢力に抗して押し込んだ状態を示す断面図である。図４（ｂ）の状態からホルダー４１をデジタルカメラ本体１および第１のストラップマウント２ａに向けて押し込むことで、図４（ｃ）に示す状態となる。図４（ｃ）の状態において、係合部３が取付孔２１に挿入される長さは、図４（ａ）の状態におけるホルダー４１とキャップ４２との間の距離ａにより決定される。
【００１７】
図５は第１のストラップマウント２ａの構造を説明する図である。図５（ａ）は第１のストラップマウント２ａを外側から見た斜視図である。第１のストラップマウント２ａをデジタルカメラ本体１に配置する際には、この面が外観面となる。図５（ｂ）は第１のストラップマウント２ａを内側から見た斜視図である。図５（ｃ）は第１のストラップマウント２ａを内側から見た正面図である。図５（ｄ）は図５（ｃ）のＡ−Ａ断面を示す断面図である。
【００１８】
係合部３を取付孔２１ａに挿入し、ホルダー４１を押し込んで、図４（ｃ）の状態にすると、係合部３の爪３ａの一方側がストッパー２２ａに当接した状態となる。したがって、係合部３は反時計周りに回転することが規制され、時計回りにのみ回転することができる。係合部３を時計回りに約９０度回転したのち、係合部３の爪３ａの他方側がストッパー２３ａに当接する状態になる。これは、図５（ｄ）に図示されるように、ストッパー２４ａの高さｃがホルダー４１とキャップ４２との間の距離ａより小さく、ストッパー２３ａの高さｂがホルダー４１とキャップ４２との間の距離ａより大きいからである。
【００１９】
この状態で、使用者がホルダー４１から手を離すと、バネ４３の付勢力によって、係合部３の爪３ａが凹部２５ａに入り込む。係合部３の爪３ａが凹部２５ａに入り込むことで、爪３ａの一方側はストッパー２４ａに当接し、爪３ａの他方側はストッパー２３ａに当接するので、係合部３の回転は規制される。
【００２０】
図６は第２のストラップマウント２ｂの構造を説明する図である。図６（ａ）は第２のストラップマウント２ｂを外側から見た斜視図である。第２のストラップマウント２ｂをデジタルカメラ本体１に配置する際には、この面が外観面となる。図６（ｂ）は第２のストラップマウント２ｂを内側から見た斜視図である。図６（ｃ）は第２のストラップマウント２ｂを内側から見た正面図である。図６（ｄ）は図６（ｃ）のＡ−Ａ断面を示す断面図である。
【００２１】
係合部３を取付孔２１ｂに挿入し、ホルダー４１を押し込んで、図４（ｃ）の状態にすると、係合部３の爪３ａの一方側がストッパー２２ｂに当接した状態となる。したがって、係合部３は時計周りに回転することが規制され、反時計回りにのみ回転することができる。係合部３を反時計回りに約９０度回転したのち、係合部３の爪３ａの他方側がストッパー２３ｂに当接する状態になる。これは、図６（ｄ）に図示されるように、ストッパー２４ｂの高さｃがホルダー４１とキャップ４２との間の距離ａより小さく、ストッパー２３ｂの高さｂがホルダー４１とキャップ４２との間の距離ａより大きいからである。
【００２２】
この状態で、使用者がホルダー４１から手を離すと、バネ４３の付勢力によって、係合部３の爪３ａが凹部２５ｂに入り込む。係合部３の爪３ａが凹部２５ｂに入り込むことで、爪３ａの一方側はストッパー２４ｂに当接し、爪３ａの他方側はストッパー２３ｂに当接するので、係合部３の回転は規制される。
【００２３】
図７は、ストラップ３０をデジタルカメラ本体１に取り付ける取り付け動作を説明するものである。図７に示す例では、デジタルカメラ本体１のグリップ１ａの側に配置された第１のストラップマウント２ａおよび第２のストラップマウント２ｂにストラップ３０を取り付ける。このとき、図７（ａ）に図示するように、ストラップ３０の係合部３をそれぞれ矢印Ａの方向に移動させて、第１のストラップマウント２ａおよび第２のストラップマウント２ｂに挿入する。そして、ストラップ３０のホルダー４１をそれぞれ矢印Ｂの方向に回転させる。
【００２４】
これによって、ストラップ３０の係合部３は第１のストラップマウント２ａおよび第２のストラップマウント２ｂと係合する状態となる。係合部３を時計方向に回転させることで、ストラップ３０の係合部３と第１のストラップマウント２ａとが係合する状態となる。一方、係合部３を反時計方向に回転させることで、ストラップ３０の係合部３と第２のストラップマウント２ｂとが係合する状態となる。したがって、ストラップ３０を内側にねじることによって、ストラップ３０をデジタルカメラ本体１に取り付けることができる。
【００２５】
図７（ｂ）はこのようにして、デジタルカメラ本体１にストラップ３０が取り付けられた状態を示している。この状態からストラップ３０のホルダー４１をそれぞれ矢印Ａの方向に押し込んだ後、ホルダー４１を矢印Ｃの方向にそれぞれ回転させると、ストラップ３０をデジタルカメラ本体１から取り外すことができる。すなわち、係合部３を反時計方向に回転させることで、ストラップ３０の係合部３と第１のストラップマウント２ａとの係合を解除する状態となる。一方、係合部３を時計方向に回転させることで、ストラップ３０の係合部３と第２のストラップマウント２ｂとの係合を解除する状態となる。
【００２６】
本実施例では、デジタルカメラ本体１のグリップ１ａの側では、第１のストラップマウント２ａを上側に、第２のストラップマウント２ｂを下側に配置している。また、デジタルカメラ本体１のレンズ鏡筒１ｂの側では、第２のストラップマウント２ｂを上側に、第１のストラップマウント２ａを下側に配置している。すなわち、第１のストラップマウント２ａがデジタルカメラ本体１の外周に複数配置され、第１のストラップマウント同士が隣り合わないように配置される。
【００２７】
したがって、デジタルカメラ本体１のレンズ鏡筒１ｂの側にストラップ３０を取り付ける場合にも、ストラップ３０を内側に回転させることによって、ストラップ３０をデジタルカメラ本体１に取り付けることができる。一方、ストラップ３０を外側に回転させることによって、ストラップ３０をデジタルカメラ本体１から取り外すことができる。
【００２８】
さらに、デジタルカメラ本体１のグリップ１ａの側とレンズ鏡筒１ｂの側とつなぐように、ストラップ３０を取り付ける場合には、ストラップ３０を外側に回転させることによって、ストラップ３０をデジタルカメラ本体１に取り付けることができる。そして、ストラップ３０を内側に回転させることによって、ストラップ３０をデジタルカメラ本体１から取り外すことができる。
【００２９】
このように、本実施例では、第１のストラップマウント２ａおよび第２のストラップマウント２ｂを対角線上に配置している。これによって、グリップ１ａの側、レンズ鏡筒１ｂの側にストラップ３０をつける場合には、ストラップ３０を内側に回転させることによって、ストラップ３０をデジタルカメラ本体１に取り付けることができる。
【００３０】
また、グリップ１ａの側とレンズ鏡筒１ｂの側とつなぐように、ストラップ３０を取り付ける場合には、ストラップ３０を外側に回転させることによって、ストラップ３０をデジタルカメラ本体１に取り付けることができる。
【００３１】
すなわち、ストラップ３０の両端を互いに異なる方向に回転させることによって、ストラップ３０をデジタルカメラ本体１に対して着脱している。したがって、ストラップが捻じれた状態で取り付けられてしまうことがない。
【００３２】
以上、本発明の好ましい実施例について説明したが、本発明はこれらの実施例に限定されず、その要旨の範囲内で種々の変形及び変更が可能である。
【符号の説明】
【００３３】
１：デジタルカメラ本体
２ａ：第１のストラップマウント
２ｂ：第２のストラップマウント
３：係合部
【図１】
2011191644.tif 000003
【図２】
2011191644.tif 000004
【図３】
2011191644.tif 000005
【図４】
2011191644.tif 000006
【図５】
2011191644.tif 000007
【図６】
2011191644.tif 000008
【図７】
2011191644.tif 000009